(57)【要約】【課題】アース棒の摩耗を抑制できるアース板を提供する。【解決手段】感光体ドラム１１の端部に取り付けられる端部部材２０に配置されるアース板３０であって、アース棒１が挿入されるべき貫通孔であるアース棒通し孔３１ａが設けられた板状の基部３１と、基部に配置されアース棒に接触する手段であるアース棒側接触手段３４と、を有し、アース棒側接触手段は、基部の面に対して離隔する方向に延びる片である立ち上げ片３８と、立ち上げ片から該立ち上げ片のうちアース棒通し孔側となる方向に延びる片である接触片３９と、を備える。【選択図】図３
2015191033.tif 000002
【特許請求の範囲】
【請求項１】
感光体ドラムの端部に取り付けられる端部部材に配置されるアース板であって、
アース棒が挿入されるべき貫通孔であるアース棒通し孔が設けられた板状の基部と、
前記基部に配置され前記アース棒に接触する手段であるアース棒側接触手段と、を有し、
前記アース棒側接触手段は、
前記基部の面に対して離隔する方向に延びる片である立ち上げ片と、
前記立ち上げ片から該立ち上げ片のうち前記アース棒通し孔側となる方向に延びる片である接触片と、を備える、アース板。
【請求項２】
前記立ち上げ片は、板状の部材であるベース板を介して前記基部に連結されている請求項１に記載のアース板。
【請求項３】
前記立ち上げ片は、前記基部に直接連結されている請求項１に記載のアース板。
【請求項４】
前記立ち上げ片が延びる方向が、前記基部の法線に対して±６０°以内である請求項１乃至３のいずれかに記載のアース板。
【請求項５】
前記接触片が延びる方向が前記基部の面に平行な方向に対して±６０°以内である請求項１乃至４のいずれかに記載のアース板。
【発明の詳細な説明】
【技術分野】
【０００１】
本発明は、レーザープリンタや複写機等の画像形成装置に備えられる感光体ドラムユニットに配置されるアース板に関する。
【背景技術】
【０００２】
レーザープリンタや複写機等の画像形成装置には感光体ドラムが備えられている。感光体ドラムは、紙等の記録媒体に転写されるべき文字や図形等の内容が形成される部材である。このような感光体ドラムは、アルミニウム等の導電性を有する基体の外周面に感光層が被覆されてなり、被覆される感光層の種類は当該感光体ドラムが適用される装置により適宜選択できる。
【０００３】
感光体ドラムの両端には、感光体ドラムを画像形成装置本体（以下「装置本体」と記載することがある。）に保持するとともに、感光体ドラムをその円筒軸線を中心に回転させるための端部部材が装着される。従って感光体ドラムは、その両端に端部部材が装着された状態で感光体ドラムユニットとして装置本体に配置されている。
【０００４】
感光体ドラムは装置本体からの電圧印加により帯電され、この帯電状態により画像を現像する。従って、画像の形成、媒体への転写、次の画像の形成等の各プロセスにおいて必要に応じて感光体ドラムへの帯電及び除電が行われる。そして除電の際には感光体ドラムを装置本体側に電気的に接続してアースを取る必要がある。
そのため、例えば特許文献１に開示されているように、端部部材に金属で形成された導電性部材であるアース板を配置して電気的に接続した状態を得る方法が知られている。特許文献１に表れるような従来のアース板では、その中央に孔が設けられているとともに、この孔の縁部から孔の内側に向けて突出する接触片が備えられている。感光体ドラムユニットが装置本体に装着された際には、このアース板の孔に対して、装置本体に設けられたアース棒が貫通するように配置される。このとき、アース棒は孔の内側に延びた接触片を押しのけるように変形させ、これにより接触片はアース棒の外周部に強く接触した状態を維持して電気的接触が図られる。
【０００５】
特許文献２には、アース板の本体にはシャフトに接触する垂下体が配置されており、この垂下体が第一の屈曲部、及び、第一屈曲部より先端側に配置された第二の屈曲部を有したアース板が開示されている。ここでは第二の屈曲部がシャフトに接触する構造とされている。
【先行技術文献】
【特許文献】
【０００６】
【特許文献１】特開２０００−１８１２８６号公報
【特許文献２】特許第３６０８３９０号公報
【発明の概要】
【発明が解決しようとする課題】
【０００７】
ところが、特許文献１、２のような接触片とアース棒との接触において、両者の摩耗が問題となった。特にアース棒は装置本体側に配置されており、消耗部品として想定されていないことから長期にわたって使用するので摩耗を抑制する必要がある。
【０００８】
そこで本発明は上記問題点に鑑み、アース棒の摩耗を抑制できるアース板を提供することを課題とする。
【課題を解決するための手段】
【０００９】
以下、本発明について説明する。ここではわかりやすさのため括弧書きにて図面の参照符号を付すが、本発明はこれに限定されるものではない。
【００１０】
請求項１に記載の発明は、感光体ドラム（１１）の端部に取り付けられる端部部材（２０）に配置されるアース板（３０）であって、アース棒（１）が挿入されるべき貫通孔であるアース棒通し孔（３１ａ）が設けられた板状の基部（３１）と、基部に配置されアース棒に接触する手段であるアース棒側接触手段（３４）と、を有し、アース棒側接触手段は、基部の面に対して離隔する方向に延びる片である立ち上げ片（３８）と、立ち上げ片から該立ち上げ片のうちアース棒通し孔側となる方向に延びる片である接触片（３９）と、を備える、アース板である。
【００１１】
請求項２に記載の発明は、請求項１に記載のアース板（３０）において、立ち上げ片（３８）は、板状の部材であるベース板（３７）を介して基部（３１）に連結されている。
【００１２】
請求項３に記載の発明は、請求項１に記載のアース板（３０）において、立ち上げ片（３８）は、基部（３１）に直接連結されている。
【００１３】
請求項４に記載の発明は、請求項１乃至３のいずれかに記載のアース板（３０）において、立ち上げ片（３８）が延びる方向が、基部（３１）の法線に対して±６０°以内である。
【００１４】
請求項５に記載の発明は、請求項１乃至４のいずれかに記載のアース板（３０）において、接触片（３９）が延びる方向が基部（３１）の面に平行な方向に対して±６０°以内である。
【発明の効果】
【００１５】
本発明によれば、接触片がアース棒に接触して導通する際に、接触片がアース棒を押圧する力を緩和することができるので、接触片及びアース棒のいずれも摩耗を減じることができる。
【図面の簡単な説明】
【００１６】
【図１】感光体ドラムユニット１０の外観斜視図である。
【図２】端部部材２０の分解斜視図である。
【図３】端部部材２０の分解断面図である。
【図４】図４（ａ）はアース板３０の平面図、図４（ｂ）はアース板３０の側面図である。
【図５】図５（ａ）は変形例のアース板３０’の平面図、図５（ｂ）はアース板３０’の断面図である。
【図６】図６（ａ）は端部部材２０の斜視図、図６（ｂ）は端部部材２０の１つの断面図、図６（ｃ）は端部部材２０の他の断面図である。
【図７】感光体ドラムユニット１０の断面のうち端部部材２０が配置された部位に注目した図である。
【図８】図８（ａ）は感光体ドラムユニット１０にアース棒１が挿入された姿勢を説明する外観図、図８（ｂ）は感光体ドラムユニット１０にアース棒１が挿入された姿勢を説明する断面図である。
【図９】他の例におけるアース板１０の配置について説明する図である。
【図１０】アース板１３０の断面図である。
【図１１】図１１（ａ）はアース板２３０の平面図、図１１（ｂ）はアース板２３０の側面図である。
【発明を実施するための形態】
【００１７】
本発明の上記した作用及び利得は、次に説明する発明を実施するための形態から明らかにされる。以下本発明を図面に示す実施形態に基づき説明する。ただし本発明はこれら実施形態に限定されるものではない。
【００１８】
図１は第一の形態例を説明する図で、端部部材２０を具備する感光体ドラムユニット１０の外観斜視図である。
感光体ドラムユニット１０は、レーザープリンタや複写機等の画像形成装置に装着され、紙等の記録媒体に転写すべき文字や図形等が形成される。図１からわかるように感光体ドラムユニット１０は、感光体ドラム１１、端部部材２０、及びフタ部材４０を備えて構成されている。
【００１９】
感光体ドラム１１は、円筒形状である基体の外周面に感光層を被覆した部材である。基体はアルミニウム、アルミニウム合金等の導電性材料が円筒形状に形成されたものである。基体の外周面に形成される感光層は特に限定されることはなく、その目的に応じて公知のものを適用することができる。ここで、基体としてアルミニウム合金が用いられる場合、その種類は特に限定されるものではないが、感光体ドラムの導電性基体として用いられることが多い６０００系、５０００系、３０００系のアルミニウム合金であることが好ましい。
【００２０】
基体は、切削加工、押し出し加工、引き抜き加工等で円筒形状を形成することにより製造することができる。そして基体の外周面に感光層を塗布する等して積層し、感光体ドラム１１を作製する。
【００２１】
端部部材２０は端部部材の１つの形態であり、感光体ドラム１１の端部のうち一方の端部に取り付けられ、端部部材本体２１及びアース板３０を備えている。図２に端部部材２０の分解斜視図、図３には図２にＩＩＩ−ＩＩＩで示した点線に沿った軸線方向における分解断面図を示した。
【００２２】
端部部材本体２１は、画像形成装置の回転駆動軸から直接、又は他の部材を介して回転駆動力を受けて感光体ドラムユニット１０自体を回転させる部材である。そのため、端部部材本体２１には回転力を伝達させるための手段が設けられ、本形態では歯車部２２が具備されている。また、当該歯車部２２により隣接する他のローラ（例えば帯電ローラ等）にもこの回転力を伝達することができる。
このような端部部材本体２１は、全体として円筒状であり、歯車部２２、接触壁部２３、及び嵌合部２４が備えられており、これらが円筒軸線方向に配列されている。
【００２３】
歯車部２２は、端部部材本体２１の外周面に歯車が形成された部位であり、この歯車により装置本体からの回転駆動力が伝達される。従って、歯車の種類は特に限定されることなく、はす歯歯車や平歯車等でよい。
本形態では回転駆動力の伝達手段として歯車を例示したが、装置本体から回転力を伝達することができれば他の手段を用いてもよい。これには例えば非円形の断面を有する軸受部材を備えることにより装置本体の駆動軸と係合してカップリングを構成する形態を挙げることができる。
【００２４】
接触壁部２３は、嵌合部２４よりも外周側直径が大きく形成されたリング状の部位である。接触壁部２３は、端部部材２０を感光体ドラム１１に装着した姿勢で、接触壁部２３の面が感光体ドラム１１の端面に接触するように配置される。これにより端部部材２０の感光体ドラム１１への挿入深さが規制される。
【００２５】
嵌合部２４は、端部部材２０の一端側であるとともに、感光体ドラム１１の内側に挿入され、端部部材２０を感光体ドラム１１に固定する部位である。従って、嵌合部２４の外径は、感光体ドラム１１の円筒形状の内側に挿入可能な範囲で、感光体ドラム１１の内径と概ね同じである。
感光体ドラムユニット１０が装置本体に装着される際には装置本体からの回転駆動力を確実に、かつ、繰り返し伝達する必要がある。従って、端部部材２０は脱落やゆるみ等がないように強固に感光体ドラム１１に結合される。かかる観点から嵌合部に溝２４ａを設けてもよい。これにより当該溝２４ａに接着剤が入り込み、端部部材２０を感光体ドラム１１に強固に接着させることができる。
用いられる接着剤は、特に限定されることはないが、シアノアクリレート系、ポリウレタン系、アクリル樹脂系を用いることが好ましい。その中でも特に、周囲の水分によって急速に硬化するため硬化速度の速いシアノアクリレート系接着剤が好ましい。
【００２６】
なお、端部部材本体２１の円筒である内側には、図３に示した断面図からわかるように、円筒の内側の一部が狭められ、ここに装置本体のアース棒１（図８（ａ）、図８（ｂ）参照。）を通す孔２１ａが設けられている。
【００２７】
このような端部部材本体２１は、必ずしも限定されることはないが、結晶性樹脂により形成されていることが好ましい。結晶性樹脂であれば、金型を用いて射出成型するに際し、流れが良好であることから成型加工性がよく、ガラス転移点にまで冷却させなくても結晶化して固化することにより離型することができることから、生産性を大きく向上させることが可能である。また、結晶性樹脂は、耐熱性、耐溶剤性に優れ、耐摩擦摩耗性や摺動性も良好であり、さらには剛性及び硬さの観点からも端部部材に適用する材料として好ましい。
結晶性樹脂としては例えばポリエチレン、ポリプロピレン、ポリアミド、ポリアセタール、ポリエチレンテレフタレート、ポリブチレンテレフタレート、メチルペンテン、ポリフェニレンサルファイド、ポリエーテルエーテルケトン、ポリテトラフルオロエチレン、ナイロン等を挙げることができる。
この中でも成型加工性の観点からポリアセタールを用いることが好ましい。
【００２８】
アース板３０は、感光体ドラム１１に帯電した電荷を除電するために、感光体ドラム１１と装置本体のアース棒１（図８（ａ）、図８（ｂ）参照。）とを電気的に通じさせる部材である。従ってアース板３０はその一部が感光体ドラム１１に接触するとともに、他の一部がアース棒１に接触するように構成されている。
【００２９】
アース板３０の形態は図２、図３に表れているが、さらに図４にも示した。図４（ａ）はアース板３０の平面図、図４（ｂ）はアース板３０を図４（ａ）に矢印ＩＶｂで示した方向から見た側面図である。これら図からわかるように、アース板３０は所定の形状に変形された板状の部材であり、導電性材料により形成されている。ここで、導電性材料としては、導電性を有するものであれば特に限定することはないが電気抵抗値が低い観点から金属材料であることが好ましく、これには例えばステンレス合金や銅合金等を挙げることができる。
【００３０】
図２〜図４よりわかるように、アース板３０は、基部３１、保持片３２、ドラム側接触片３３、及びアース棒側接触手段３４を備えて構成されている。
【００３１】
基部３１はアース板３０の基部となる部位であり、本形態では板状である。ただし、必ずしも平板状である必要はなく凹凸が具備されるものや、その他何らかの３次元的形状を備えているものであってもよい。
基部３１は感光体ドラム１１の内側に内包される大きさであり、装置本体側のアース棒１（図８（ａ）、図８（ｂ）参照。）を挿入できるアース棒通し孔３１ａが設けられている。
【００３２】
保持片３２は、基部３１の外周部から該基部３１の外に向けて突出した片であり、本形態では基部３１の外周縁部に複数の保持片３２が所定の間隔で配置されている。保持片３２は後で説明するように（図６（ａ）参照）、端部部材本体２１の外周面に沿って折り曲げられ、端部部材本体２１へのアース板３０の安定した配置を補助している。
【００３３】
ドラム側接触片３３は、感光体ドラム１１の内周面に接触するための片であり、基部３１の外周部から、基部３１の外方に向けて延びるように形成されている。ドラム側接触片３３は、保持片３２よりも長く形成され、端部部材本体２１に取り付けられた姿勢で、その少なくとも一部（先端部）が端部部材本体２１の嵌合部２４の外周面に沿って重なるように接して曲げられる。そして、後で説明するように（図７参照）、ドラム側接触片３３の先端部が感光体ドラム１１の内周面と嵌合部２４の外周面との間に挟まれるように位置づけられる。
従って、ドラム側接触片３３はこのように位置づけられる大きさ（長さ）を備えている。
【００３４】
本形態のアース棒側接触手段３４は、装置本体に設けられるアース棒１（図８（ａ）、図８（ｂ）参照）に接触するための手段であり、基部３１のアース棒通し孔３１ａの外周部に設けられている。アース棒側接触手段３４は、図２〜図４よりわかるように、孔３５、及び該孔３５に配置されるアース棒側接触部材３６を有している。そしてこのアース棒側接触部材３６は、ベース片３７、立ち上げ片３８、及び接触片３９を有して構成されている。
【００３５】
孔３５は、基部３１に設けられ、その一端がアース棒通し孔３１ａに連通する孔である。この孔３５にアース棒側接触部材３６が保持される。孔３５の形状は特に限定されることはなく、本形態のように矩形であってもよいし、円形や他の形状であってもよい。
【００３６】
ベース片３７は、アース棒側接触部材３６を孔３５に保持する平板状の片である。ベース片３７はその一端が、孔３５のうちアース棒通し孔３１ａに連通する側とは反対側に接続され、基部３１に沿ってアース棒通し孔３１ａ側に延在する。
【００３７】
立ち上げ片３８は、実際にアース棒１に接触する接触片３９を基板３１の面から端部部材２０の軸線方向に離隔した位置に配置するための平板状の片である。従って立ち上げ片３８は、その一端がベース片３７に接続し、他端が端部部材２０の軸線方向（図３に一点鎖線により示した。）に基部３１の面に対して離隔する方向に延びている。この立ち上げ片３８を設けることにより、接触片３９がアース棒１に接触する際に、当該立ち上げ片３８が軸線から離隔する方向に反るので接触片３９がアース棒１から逃げる方向に移動し、接触片３９によるアース板３０への押しつけ力を低減して摩擦を抑えることができる。
【００３８】
立ち上げ片３８は、変形し易さの観点から、板状であるとともに板面の１つが端部部材２０の軸線に対向するように配置されることが好ましい。すなわち板面の１つがアース棒通し孔３１ａ側に向けられていることが好ましい。
また、立ち上げ片３８が延びる方向としては、軸線に平行であることが好ましいが、これに限らず軸線に対して角度を有してもよい。例えば図３にθで表したように、基部３１の板面の法線Ｎに対して立ち上げ片３８が延びる方向Ｄの角度が±６０°の範囲であることが好ましい（立ち上げ片３８の接触片３９側の端部が軸線から離隔する方向に傾く場合を＋とし、その反対側に傾く場合を−とする。図３に表れている立ち上げ片３８は０°）。
【００３９】
接触片３９は、実際にアース棒１に接触する板状の片である。従って、接触片３９はその一端が立ち上げ片３８のうち基部３１から離隔した側の端部に接続され、他端側が軸線に向けて（アース棒通し孔３１ａ側に向けて）延びている。ここで接触片３９の他端側は、端部部材２０にアース棒１が挿入された姿勢（図８（ｂ）参照）で、接触片３９の一部がアース棒１に接触するようにアース棒１が移動する軌道上となる位置にまで延びている。
【００４０】
接触片３９のうち軸線に近い側（立ち上げ片３８から離隔した側）の端部の形状は本形態のように円弧状であってよいし、他の形態であってもよい。また、接触片３９が延びる方向が軸線に直交する方向に対して成す角（基板３１の面に平行な方向に対して成す角）は、本形態のように０°であることが好ましいが、これに対して傾いて延びてもよい。例えば図３にφで表したように、基板３１に平行な方向Ｈに対して接触片３９が延びる方向Ｓがなす角度が±６０°の範囲であることが好ましい（接触片３９の先端が基部３１から離隔する方向に傾く場合を＋とし、その反対側に傾く場合を−とする。）。
【００４１】
図５には変形例のアース板３０’を示した。図５（ａ）は平面図、図５（ｂ）は図５（ａ）にＶｂ−Ｖｂで示した点線に沿った断面図である。アース板３０’では上記説明したアース板３０と同じ構成のものについては同じ符号で表記して説明は省略する。
アース板３０’では、アース板側接触手段３４’において、アース板側接触部材３６’がベース片を有しておらず、基部３１から直接立ち上げ片３８が立設している形態である。このような形態でもアース板３０と同様の効果を奏するものとなる。
【００４２】
端部部材本体２１とアース板３０とが次のように組み合わされて端部部材２０とされている。図６に図を示した。図６（ａ）は斜視図、図６（ｂ）は図６（ａ）にＶＩｂ−ＶＩｂで示した線に沿った断面図、図６（ｃ）は図６（ａ）にＶＩｃ−ＶＩｃで示した線に沿った断面図である。
【００４３】
図６（ａ）、図６（ｂ）、図６（ｃ）からわかるように、端部部材本体２１の端面のうち、嵌合部２４側の端面（感光体ドラム１１には接しない面）を塞ぐようにアース板３０の基部３１が重ねられる。このとき、立ち上げ片３８が端部部材本体２１とは反対側に突出する向きとされる。
保持片３２は、嵌合部２４に沿って折り曲げられて配置される。そしてドラム側接触片３３は、接触壁部２３の方向に向けて延びるように嵌合部２４の外面に沿って配置される。これにより図６（ａ）、図６（ｃ）からわかるように、ドラム側接触片３３の先端は、嵌合部２４のうち感光体ドラム１１の内面に接触する部位にまで延びて配置される。
【００４４】
図１に戻り、フタ部材４０について説明する。フタ部材４０は、感光体ドラム１１の端部のうち、端部部材２０が配置される側とは反対側の端部に装着される端部部材である。フタ部材４０は、歯車部は備えられていないが端部部材の１つの形態である。従ってその材質は端部部材２０と同様である。
フタ部材４０は円盤状である軸受部４０ａと、該軸受部４０ａの一方の面から感光体ドラム１１の内側に突出する嵌合部４０ｂ（図１に透視して破線で示している。）と、を備え、これらが同軸に形成されている。そしてフタ部材４０では、嵌合部４０ｂが感光体ドラム１１の円筒内側に嵌合され、軸受部４０ａが感光体ドラム１１の一端面を覆うように配置される。ここで軸受部４０ａは、このように感光体ドラム１１の端面を覆う円板状であるとともに、感光体ドラムユニット１０を軸線中心に回転させるために設けられた不図示の軸を受ける部位を具備する。
【００４５】
本形態では端部部材２０にアース板３０が配置された例を説明したが、フタ部材４０側にアース板３０が配置されてもよい。その場合であっても上記説明したものと同様のアース板を適用することができる。
【００４６】
感光体ドラムユニット１０は、以上説明した各部材を例えば次のように組み合わせることにより作製される。図７には感光体ドラム１１の一端側に端部部材２０が装着された部位の軸線方向に沿った断面を表した。ここに表れる端部部材２０の断面は図６（ｃ）と同じ視点による断面である。
【００４７】
初めに、端部部材本体２１にアース板３０を取り付けて図６（ａ）に示した状態とする。次にこれを任意の圧入手段により、感光体ドラム１１の一端側の開口部分から端部部材２０の嵌合部２４を差し込むように端部部材２０を挿入する。その際、接触壁部２３が感光体ドラム１１の端面に接触するまで挿入する。圧入手段としては例えばエア、油圧、又は電気シリンダを用いることができる。そのときには圧入方向、端部部材の軸線、及び感光体ドラムの軸線を合わせて圧入を行うことで精度のよい組み付けをすることができる。これにより図７に示した姿勢となる。このとき、上記したようにアース板３０のドラム側接触片３３が嵌合部２４と感光体ドラム１１の内面との間に挟まれるようにして配置され、感光体ドラム１１の内面に接触する。
【００４８】
以上のように、アース板３０の少なくとも一部が端部部材本体２１の嵌合部２４の外周面と、感光体ドラム１１の内面との間に挟まれて配置されることにより、端部部材２０が感光体ドラム１１に安定して保持される。また、当該挟まれた部分では感光体ドラム１１とアース板３０との密着性が高く、通電性の安定も図られる。
【００４９】
一方、フタ部材４０は、感光体ドラム１１の端部のうち、端部部材２０が取り付けられた端部とは反対側に固定される。これには公知の方法を適用することができる。ただし、上記したようにフタ部材４０についてもアース板３０を配置することができる。すなわち、このときにはアース板３０を通電は考慮しないフタ部材４０の固定手段として用いてもよい。
【００５０】
次に、感光体ドラムユニット１０に、装置本体側に配置されたアース棒１が挿入された場面における態様を説明する。図８に説明のための図を示した。図８（ａ）が感光体ドラムユニット１０のうち端部部材２０が配置された側を表した外観図、図８（ｂ）が図８（ａ）と同じ部位による軸線方向断面図である。ここに表れる端部部材２０の断面は図６（ｂ）と同じ視点による断面である。
図８（ａ）、図８（ｂ）からわかるように、装置本体側のアース棒１は端部部材本体２１の円筒である内側を貫通し、他端側から突出するように延びる。このとき、アース棒１は端部部材本体２１の孔２１ａ及びアース板３０のアース棒通し孔３１ａをそれぞれ貫通する。ここで、アース棒通し孔３１ａには上記のようにアース棒側接触手段３４が設けられている。このアース棒側接触手段３４では、実際にアース棒１に接触片３９が接触するのでこれによりアース棒１とアース板３０とが電気的に通じる。そして接触片３９は、軸線方向に延びる立ち上げ片３８により保持されているので、接触片３９がアース棒１に接触する際には、図８（ｂ）に矢印ＶＩＩＩｂに示したように軸線から離隔する方向に反るように変形する。このような変形によれば接触片３９がアース棒１を押圧する力を抑制することができる。従って摩耗を減らすことが可能となる。
なお、アース棒１と接触片３９との接触位置は、アース棒１の端部でもよいし、側面でもよい。ただし接触のしやすさから本形態のように側面であることが好ましい。
【００５１】
以上のような構成により感光体ドラム１１、アース板３０及びアース棒１が電気的に通じる。そして、アース板３０によるアース棒１への負荷を減らすことができ、摩耗も抑制することが可能である。
【００５２】
図９はアース板１０の端部部材２０への取り付けに関して上記と異なる例を示したものである。図９は図８（ｂ）と同じ視点による図である。この例では立ち上げ片３８がアース棒１の挿入側に延びるように配置されており、その先端には同様に接触片３９が設けられている。
この例によっても感光体ドラム１１、アース板３０及びアース棒１が電気的に通じるとともに、アース板３０によるアース棒１への負荷を減らすことができ、摩耗も抑制することが可能である。
【００５３】
図１０は第二の形態を説明する図であり、アース板１３０の断面を表している。図１０は図３と同じ視点による図である。この形態ではアース板１３０のうち、アース棒側接触手段１３４のアース棒側接触部材１３６において上記アース棒側接触部材３６と異なり、他の部分はアース板３０と同様なので、ここでは同じ符号を付して説明を省略する。
アース棒側接触部材１３６では、ベース片１３７と立ち上げ片１３８との接続部、及び立ち上げ片１３８と接触片１３９との接続部が曲面で形成されており、いわゆるＲが形成されている。
【００５４】
図１１は第二の形態を説明する図であり、図１１（ａ）はアース板２３０の平面図、図１１（ｂ）はアース板２３０を図１１（ａ）の矢印ＸＩｂの方向から見た図である。図１１（ａ）、図１１（ｂ）はそれぞれ図４（ａ）、図４（ｂ）と同じ視点による。この形態ではアース板２３０のうち、アース棒側接触手段２３４のアース棒側接触部材２３６において上記アース棒側接触部材３６と異なり、他の部分はアース板３０と同様なので、ここでは同じ符号を付して説明を省略する。
アース棒側接触部材２３６では、ベース片２３７、立ち上げ片２３８、及び接触片２３９がそれぞれ２組、並べるように配置されている。
【００５５】
以上第二及び第三形態のアース板１３０、２３０によっても、アース板３０と同様の効果を奏するものとなる。
【符号の説明】
【００５６】
１０  感光体ドラムユニット
１１  感光体ドラム
２０  端部部材
２１  端部部材本体
２２  歯車部
２３  接触壁部
２４  嵌合部
３０  アース板
３１  基部
３２  保持片
３３  ドラム側接触片
３４  アース棒側接触手段
３５  孔
３６  アース棒側接触部材
３７  ベース片
３８  立ち上げ片
３９  接触片
４０  フタ部材
【図１】
2015191033.tif 000003
【図２】
2015191033.tif 000004
【図３】
2015191033.tif 000005
【図４】
2015191033.tif 000006
【図５】
2015191033.tif 000007
【図６】
2015191033.tif 000008
【図７】
2015191033.tif 000009
【図８】
2015191033.tif 000010
【図９】
2015191033.tif 000011
【図１０】
2015191033.tif 000012
【図１１】
2015191033.tif 000013